(57)【要約】【課題】空気循環路に設けたフィルタをメンテナンスフリーとし、又はフィルタを不要とする洗濯乾燥機を提供する。【解決手段】被洗浄物が収容される回転槽４と、この回転槽４と連通し前記被洗浄物を乾燥させる空気が流れる空気循環路５と、この空気循環路５に関連して設けたヒートポンプ装置６と、前記空気循環路５の下流側に設けた送風機１２と、前記空気循環路５の上流側に設けたフィルタ１１とを備え、前記空気が回転槽４と空気循環路５とを循環することにより被洗浄物を乾燥するようにした洗濯乾燥機において、前記送風機１２は正逆回転可能に設けると共に、フィルタ１１より上流側にサイクロン式集塵器１５を設ける。前記送風機１２を逆回転させてフィルタ１１に付着したゴミを吹き飛ばして排除する。又、空気循環路５の上流側に高性能のサイクロン式集塵器のみを設けてフィルタ１１を不要とすることが可能である。【選択図】図２
2008086419.tif 000002
【特許請求の範囲】
【請求項１】
被洗浄物が収容される回転槽と、この回転槽と連通し前記被洗浄物を乾燥させる空気が流れる空気循環路と、この空気循環路の途中に設けたヒートポンプ装置と、前記空気循環路の下流側に設けた送風機と、前記空気循環路の上流側に設けたフィルタとを備え、前記空気が前記回転槽と前記空気循環路とを循環することにより前記被洗浄物を乾燥するようにした洗濯乾燥機において、前記送風機は正逆回転可能に設け、この送風機の逆回転により前記空気循環路内の空気を前記フィルタに吹き付けて糸屑等のゴミを排除することを特徴とする洗濯乾燥機。
【請求項２】
前記空気循環路のフィルタより上流側にサイクロン式集塵器を設けたことを特徴とする請求項１に記載の洗濯乾燥機。
【請求項３】
被洗浄物が収容される回転槽と、この回転槽と連通し前記被洗浄物を乾燥させる空気が流れる空気循環路と、この空気循環路に関連して設けたヒートポンプ装置と、前記空気循環路の下流側に設けた送風機とを備え、前記空気が前記回転槽と前記空気循環路とを循環することにより前記被洗浄物を乾燥するようにした洗濯乾燥機において、前記空気循環路の上流側にサイクロン式集塵器を設けたことを特徴とする洗濯乾燥機。
【発明の詳細な説明】
【技術分野】
【０００１】
本発明は、衣類等の被洗浄物を洗濯すると共に、脱水後に乾燥できるようにした洗濯乾燥機に関するものである。
【背景技術】
【０００２】
衣類等の被洗浄物を洗濯する洗濯工程（濯ぎ工程を含む）と、洗濯後に行う脱水工程と、脱水後に行う乾燥工程とを単一の機器内で順次行うようにした洗濯乾燥機が従来知られている（例えば、特許文献１）。この洗濯乾燥機の場合、乾燥工程を行うシステムを概略説明すると、図４に示すように衣類等の被洗浄物Ａが収容されるドラムＢと、このドラムＢと連通し前記被洗浄物Ａを乾燥させる乾燥用空気が流れる空気循環路Ｃと、この空気循環路Ｃの途中に設けたヒートポンプ装置Ｄと、空気循環路Ｃの下流側に設けた送風機Ｅと、空気循環路Ｃの上流側に設けたフィルタＦとを備え、空気循環路Ｃを介して空気が循環することにより洗濯・脱水後の被洗浄物Ａを乾燥するように構成されている。
【０００３】
上記ヒートポンプ装置Ｄは、圧縮機Ｇと２つの熱交換器（放熱器Ｈ及び吸熱器Ｉ）と、この２つの熱交換器の間に位置する絞り手段Ｊとが接続管により連結されて冷凍サイクルが形成され、この冷凍サイクル内を冷媒が循環するように構成されている。そして、圧縮機Ｇにより圧縮された冷媒ガスは高温高圧となって吐出され、放熱器Ｈでこの放熱器Ｈを通過する空気との間で熱交換することにより空気を加熱して冷媒自身は冷却され、絞り手段Ｊにより圧力が低下することにより液化し、吸熱器Ｉでこの吸熱器Ｉを通過する空気との間で熱交換することにより空気を冷却して除湿し、冷媒自身は蒸発して冷媒ガスとなって圧縮機Ｇに戻される。
【０００４】
被洗浄物Ａの乾燥工程においては、前記送風機ＥによりドラムＢ内の空気が空気循環路Ｃ内に吸い込まれ、この空気は前記のように吸熱器Ｉを通過する際に熱が奪われて冷却され、空気中に含まれている水分が凝縮することで除湿され、更に放熱器Ｈを通過する際に加熱され、高温の乾燥空気となってドラムＢ内に戻されて被洗浄物Ａを乾燥する。このようにして、空気循環路Ｃを介して空気の循環が繰り返されることにより被洗浄物Ａの乾燥工程が行われる。
【０００５】
前記フィルタＦは、ドラムＢから空気循環路Ｃに吸い込まれる空気を通過させ、その際空気中に混入している糸屑等のゴミを分離する。このため、糸屑等のゴミが前記２つの熱交換器（放熱器Ｈ及び吸熱器Ｉ）のフィンに付着するのを防ぐことができ、これにより熱交換器の機能低下を抑えるようにしている。
【特許文献１】特開２００６−１１０３９４
【発明の開示】
【発明が解決しようとする課題】
【０００６】
上記洗濯乾燥機による乾燥工程において、ドラムＢから空気循環路Ｃに吸い込まれる空気中に混入した糸屑等のゴミは、前記フィルタＦにより捕捉されて徐々にその付着量が増大する。フィルタＦへのゴミの付着量が増大すると、フィルタＦが目詰まりして濾過機能が低下し、且つ空気循環路Ｃへの空気流入量が減少する。このような現象が生じると、ドラムＢへ戻す高温空気量が減少して乾燥効率の低下を招くことになる。
【０００７】
このような乾燥効率の低下を抑えるためには、フィルタＦを清掃して糸屑等のゴミを取り除き、或は新しいフィルタと交換しなければならない。しかしながら、フィルタＦの清掃作業や交換作業をするには、空気循環路ＣにおけるフィルタＦより上流側の接続部分（上記の例では排気口ホース）を外し、又作業終了後には接続部分を嵌めて元通りにしなければならない。このような清掃作業や交換作業は極めて面倒であり、且つ定期点検によるメンテナンスを必要とする等の問題が発生する。
【０００８】
そこで、本発明は上記のような厄介な問題を解消するためになされたものであり、空気循環路に設けたフィルタをメンテナンスフリーとし、又はフィルタを不要とした洗濯乾燥機を提供することを目的とする。
【課題を解決するための手段】
【０００９】
上記の目的を達成するための手段として、本発明の請求項１は、被洗浄物が収容される回転槽と、この回転槽と連通し前記被洗浄物を乾燥させる空気が流れる空気循環路と、この空気循環路に関連して設けたヒートポンプ装置と、前記空気循環路の下流側に設けた送風機と、前記空気循環路の上流側に設けたフィルタとを備え、前記空気が前記回転槽と前記空気循環路とを循環することにより前記被洗浄物を乾燥するようにした洗濯乾燥機において、前記送風機は正逆回転可能に設け、この送風機の逆回転により前記空気循環路内の空気を前記フィルタに吹き付けて糸屑等のゴミを排除することを特徴とする。
【００１０】
本発明の請求項２は、請求項１の洗濯乾燥機において、前記空気循環路のフィルタより上流側にサイクロン式集塵器を設けたことを特徴とする。
【００１１】
本発明の請求項３は、被洗浄物が収容される回転槽と、この回転槽と連通し前記被洗浄物を乾燥させる空気が流れる空気循環路と、この空気循環路に関連して設けたヒートポンプ装置と、前記空気循環路の下流側に設けた送風機とを備え、前記空気が前記回転槽と前記空気循環路とを循環することにより前記被洗浄物を乾燥するようにした洗濯乾燥機において、前記空気循環路の上流側にサイクロン式集塵器を設けたことを特徴とする。
【発明の効果】
【００１２】
上記請求項１の発明によれば、送風機を逆回転させることにより空気循環路内の空気をフィルタに吹き付け、糸屑等のゴミを吹き飛ばして排除することができる。これにより、従来必要とされていたフィルタの清掃作業や交換作業を廃止し、メンテナンスフリーにすることが可能となる。
【００１３】
請求項２の発明によれば、フィルタより上流側に設けたサイクロン式集塵器により糸屑等のゴミを大部分集塵することができ、このサイクロン式集塵器での集塵を免れた微細なゴミはフィルタにより捕捉することができる。これにより、フィルタに対する糸屑等のゴミ付着量を著しく減少させ、上記送風機の作用によってゴミを吹き飛ばす排除回数を減らすことができる。
【００１４】
請求項３の発明によれば、空気循環路の上流側にサイクロン式集塵器のみを設けることで実施することが可能であり、フィルタを廃止することができる。
【発明を実施するための最良の形態】
【００１５】
以下、本発明に係る洗濯乾燥機の実施形態を図面に基づいて説明する。
【実施例１】
【００１６】
図１は、本発明に係る洗濯乾燥機の第１実施例を示す概略説明図である。図中、１は外槽であり、この外槽１の内部に円筒状の水槽２が後部を斜め下に向けた傾斜状態に固定されている。水槽２は前部の端面が開口し、後部の端面には底板２ａが取り付けられ、この底板２ａの下面側中央部に駆動用モータ３が取り付けられている。そして、駆動用モータ３の回転軸３ａは水槽２の内部に突出し、この突出端部は円筒状の回転槽４の底部に軸着されており、駆動用モータ３によって回転槽４を水槽２内で中心軸を合致した状態で回転できるようにしてある。
【００１７】
回転槽４は前部の端面が開口し、後部の端面には底板４ａが取り付けられ、周側板４ｂには多数の小孔（図略）が設けられている。この回転槽４内には図示を省略した衣類等の被洗浄物が投入され、後記する洗濯工程、濯ぎ工程、脱水工程、乾燥工程が一連に行われる。
【００１８】
前記外槽１の内部には乾燥工程時に使用する空気循環路５が設けられ、この空気循環路５の上流側端部は前記回転槽４の開口端（及び水槽２の開口端）に連通して接続され、下流側端部は水槽４の底部内に連通して接続されている。これにより、回転槽４の内部から空気循環路５を経由して水槽２の内部に戻る空気の環状回路が形成されている。
【００１９】
空気循環路５の途中にはヒートポンプ装置６が設けられ、このヒートポンプ装置６は圧縮機７と、放熱器８と、吸熱器９と、絞り手段１０とから構成されている。そして、これら各部材を管接続することにより冷凍回路が形成され、この冷凍回路を冷媒が循環するようにしてある。前記２つの熱交換器（放熱器８及び吸熱器９）は空気循環路５の内部に配設され、放熱器８は吸熱器９よりも下流側に位置している。絞り手段１０としては例えばキャピラリーチューブや絞り弁等を用いることができ、放熱器８と吸熱器９との間に設けられる。この絞り手段１０と圧縮機７とは空気循環路５の外部に配置される。
【００２０】
空気循環路５の上流側にはフィルタ１１が設けられ、乾燥工程時に回転槽４からの空気を通過させると共に、この空気内に混入している糸屑等のゴミを捉えて分離する。このフィルタ１１としては、例えば合成樹脂等で成形された細かい網目状のもの、又は繊維質を絡めて形成したもの等を使用することができる。
【００２１】
又、空気循環路５の下流側には送風機１２が設けられ、この送風機１２はモータ（図略）によって正逆回転可能に形成されており、正回転時には空気が空気循環路５の上流側から下流側に向かって流れ、逆回転時には下流側から上流側に向かって流れるようにしてある。
【００２２】
図１において、１３は給水管であって、その一端は水道の蛇口等の水源（図略）に接続されると共に他端は前記水槽２に接続され、洗濯工程及び濯ぎ工程時に水槽２内に所要量の水を供給する。１４は排水管であって、その一端は水槽２の底部に接続されると共に他端はフロアの排水口（図略）に接続されており、洗濯工程及び濯ぎ工程後に水槽２内の水を外部に排水する。
【００２３】
このように構成された洗濯乾燥機において、先ず開閉蓋（図略）を開けて回転槽４内に図示を省略した被洗浄物を投入し、前記給水管１３から水槽２内に必要量の水を給水すると、その給水の大部分は回転槽４の周側板４ｂの小孔から回転槽４内に浸入する。そして、回転槽４内に必要量の洗剤を投入した後、スイッチ（図略）をオンにすれば洗濯工程が開始する。この洗濯工程は、前記駆動用モータ３が作動して回転槽４を軸回転
させることにより行われる。
【００２４】
洗濯工程終了後、前記排水管１４の電磁弁（図略）を開くと、回転槽４内の洗濯汚水が水槽２を介して排水管１４により排水される。この後、排水管１４の電磁弁を閉じて給水管１３から水槽２内に必要量の水を給水し、前記駆動用モータ３を再度作動して回転槽４を軸回転させることにより濯ぎ工程を行う。この濯ぎ工程は、通常複数回繰り返して行われる。
【００２５】
濯ぎ工程終了後、排水管１４の電磁弁を再度開いて回転槽４内の汚水を排水し、前記駆動用モータ３により回転槽４を軸回転させることにより脱水工程を行う。この脱水工程では、回転槽４を洗濯時よりも高速回転させ、遠心力によって被洗浄物から水分を飛散させる。被洗浄物から飛散した水分は、水槽２を介して排水管１４により排水される。
【００２６】
脱水工程終了後、前記ヒートポンプ装置６を作動させると共に、送風機１２を正回転させることにより乾燥工程を行う。送風機１２の正回転によって回転槽４内の湿った空気が空気循環路５に入り、前記フィルタ１１を通って下流側に流れる。この湿った空気は、前記吸熱器９を通過する際に冷却されて空気中の水分が凝縮する。ここで生じた凝縮水は、空気循環路５から前記排水管１４に接続したドレン管（図略）を介して排水することが好ましい。
【００２７】
吸熱器９で除湿された空気は、前記放熱器８を通過する際に加熱されて高温の乾燥空気となり、前記送風機１２により水槽２内に流入し、前記小孔を通って回転槽４内に戻される。この高温の乾燥空気によって回転槽４内の被洗浄物が加熱される。このような空気循環を繰り返して行うことで被洗浄物を乾燥させることができる。この乾燥工程時に、回転槽４を回転しながら行うと乾燥効率を高めることが可能となる。
【００２８】
乾燥工程において、被洗浄物の乾燥が進むに連れて糸屑等のゴミが回転槽４内で浮遊する傾向が強くなる。そして、この糸屑等のゴミは空気に混入して空気循環路５に流入するが、前記フィルタ１１により捕捉されて分離される。このため、糸屑等のゴミが前記吸熱器９や放熱器８のフィン（図略）等に付着するのを防ぐことができ、これにより熱交換器としての機能低下を抑えることができる。
【００２９】
しかしながら、乾燥工程の回数が増えるに連れてフィルタ１１に捕捉される糸屑等のゴミの量が増大する。ゴミの付着量が増大すると、フィルタ１１が目詰まりして濾過機能が低下し、且つ空気循環路５への空気流入量が減少する。このような現象が生じると、回転槽４に戻す高温乾燥空気の量が減少して乾燥効率の低下を招くことになる。
【００３０】
本実施例では、洗濯乾燥機の使用後に前記送風機１２を逆回転させ、空気循環路５内の空気を上流側に向けて強制的に逆流させ、フィルタ１１に吹き付けて糸屑等のゴミを吹き飛ばして排除する。これにより、従来要求されていたフィルタ１１の清掃作業又はフィルタ１１の交換作業は不要となり、メンテナンスフリーにすることが可能となる。
【００３１】
この場合、フィルタ１１から吹き飛ばされた糸屑等のゴミが回転槽４内に戻らないようにすることが好ましい。このため、例えばフィルタ１１より上流側にゴミの収集手段（図略）を着脱自在に設けるようにする。又、フィルタ１１に付着する糸屑等のゴミ量を検知するセンサ（図略）を設けるようにすると良い。
【実施例２】
【００３２】
図２は、本発明に係る洗濯乾燥機の第２実施例を示す概略説明図である。この第２実施例において、前記第１実施例と同じ構成部材には前記と同じ符号を付けて詳しい説明は省略する。
【００３３】
この第２実施例では、第１実施例のフィルタ１１より上流側にサイクロン式集塵器１５を設けた構成に特徴を有するものである。サイクロン式集塵器１５としては、従来公知の構造のものを使用することが可能である。図示は省略するが、このサイクロン式集塵器１５は、入口から接線方向に流入した空気を旋回させながら流下させ、その際遠心力によって空気中から糸屑等のゴミを分離する。そして、分離したゴミは底部の側方に位置する集塵部に溜めると共に、空気はサイクロン式集塵器１５外に流出させる。
【００３４】
サイクロン式集塵器１５から流出した空気は、下流側に近接配置されているフィルタ１１を通過し、サイクロン式集塵器１５で集塵されない細かいゴミが分離される。このため、空気中のゴミはほぼ完全に分離され、放熱器８や吸熱器９のフィン等にゴミが付着するのを防止することができる。これにより、熱交換器としての機能低下を抑えることができる。
【００３５】
この場合は、前記サイクロン式集塵器１５により大部分の糸屑等のゴミが分離されるため、フィルタに付着する細かいゴミの量は減少するが、それでも乾燥工程の回数が増えるに連れてフィルタ１１に付着するゴミ量が増大する。前記と同様にフィルタ１１に付着するゴミ量が増大すると、フィルタ１１が目詰まりして濾過機能が低下し、且つ空気循環路５への空気流入量が減少する。このような現象が生じると、回転槽４に戻す高温の乾燥空気量が減少して乾燥効率の低下を招くことになる。
【００３６】
このため、本実施例においても前記送風機１２を逆回転させ、空気循環路５内の空気を上流側に向けて強制的に逆流させ、フィルタ１１に吹き付けて付着している微細なゴミを吹き飛ばして排除する。吹き飛ばされた細かいゴミは、サイクロン式集塵器１５に逆流入させてその集塵部に入るようにする。これにより、従来要求されていたフィルタ１１の清掃作業又はフィルタ１１の交換作業は不要となり、メンテナンスフリーにすることが可能となる。サイクロン式集塵器１５に集積したゴミは、必要に応じて定期的に取り出せるように構成することが好ましい。このため、例えばサイクロン式集塵器１５の集塵部をカセット式に形成して着脱可能にすると良い。
【実施例３】
【００３７】
図３は、本発明に係る洗濯乾燥機の第３実施例を示す概略説明図である。この第３実施例において、前記第１実施例又は第２実施例と同じ構成部材には前記と同じ符号を付けて詳しい説明は省略する。
【００３８】
この第３実施例では、第１実施例や第２実施例におけるフィルタ１１を用いずに、空気循環経路５の上流側にサイクロン式集塵器１６のみを設けた構成に特徴を有するものである。このサイクロン式集塵器１６は、前記サイクロン式集塵器１５と同じく入口から接線方向に流入した空気を旋回させながら流下させ、その際遠心力によって空気中から糸屑等のゴミを分離する。そして、分離したゴミは底部の側方に位置する集塵部に溜めると共に、空気はサイクロン式集塵器１６の出口から空気循環経路５内に流出させる。この場合、サイクロン式集塵器１６は、細かいゴミも分離可能な高性能を備えたものを使用する。
【００３９】
本実施例の場合は、上記サイクロン式集塵器１６により空気中に混入している糸屑等のゴミ及び微細なゴミがほぼ完全に分離されるため、フィルタ１１を使用しなくても済む。このため、フィルタ１１が目詰まりして濾過機能が低下し、且つ空気循環路５への空気流入量が減少することはない。又、回転槽４に戻す高温乾燥空気の量が減少して乾燥効率の低下を招くこともない。
【００４０】
本実施例では、フィルタ１１が無いため前記送風機１２を逆回転させてフィルタ１１に吹き付けて細かいゴミを吹き飛ばして排除する作業が不要となる。これにより、従来要求されていたフィルタ１１の清掃作業又はフィルタ１１の交換作業は不要となる。この場合も、サイクロン式集塵器１６に集積したゴミは、定期的に取り出せるように例えばサイクロン式集塵器１５の集塵部をカセット式に形成して着脱可能にすると良い。又、集塵部のゴミ量を検知するセンサを設けるようにすると更に良い。
【産業上の利用可能性】
【００４１】
本発明は、洗濯乾燥機に容易に適用することができ、被洗浄物の乾燥時に使用する空気循環路に設けたフィルタをメンテナンスフリーとし、又はフィルタを不要とする洗濯乾燥機を提供することができる。
【図面の簡単な説明】
【００４２】
【図１】本発明に係る洗濯乾燥機の第１実施例を示す概略説明図である。
【図２】本発明に係る洗濯乾燥機の第２実施例を示す概略説明図である。
【図３】本発明に係る洗濯乾燥機の第３実施例を示す概略説明図である。
【図４】従来の洗濯乾燥機を示す概略説明図である。
【符号の説明】
【００４３】
１  外槽
２  水槽
３  駆動用モータ
４  回転槽
５  空気循環路
６  ヒートポンプ装置
７  圧縮機
８  放熱器
９  吸熱器
１０  絞り手段
１１  フィルタ
１２  送風機
１３  給水管
１４  排水管
１５、１６  サイクロン式集塵器
【図１】
2008086419.tif 000003
【図２】
2008086419.tif 000004
【図３】
2008086419.tif 000005
【図４】
2008086419.tif 000006